(57)【要約】      （修正有）【課題】集音対象の音の種類に最適化した位置で集音する技術を提供する。【解決手段】筒状のシェル１０と、前記シェル１０の一方の開口端に取り付けられるドラムヘッド２０ａと、前記ドラムヘッド２０ａおよび前記シェル１０の内側であって前記シェル１０の中心軸の近傍に設置され、前記ドラムヘッド２０ａへの打撃の直後に生じるアタック音を検出する第１のドラム音センサ３０ａと、を備え、アンプ４０においては配線３２ｂによって取り出された演奏音出力を再生する。【選択図】図１
2015075728.tif 000002
【特許請求の範囲】
【請求項１】
筒状のシェルと、
前記シェルの一方の開口端に取り付けられるドラムヘッドと、
前記ドラムヘッドおよび前記シェルの内側であって前記シェルの中心軸の近傍に設置され、前記ドラムヘッドへの打撃の直後に生じるアタック音を検出する第１のドラム音センサと、
を備えるドラム。
【請求項２】
前記第１のドラム音センサは、前記ドラムヘッドの近傍に設置される、
請求項１に記載のドラム。
【請求項３】
前記中心軸の近傍は、前記ドラムヘッドに対して打撃が加えられる範囲を前記中心軸方向に投影した範囲であり、
前記ドラムヘッドの近傍は、前記ドラムヘッドに対して打撃が加えられた場合における当該ドラムヘッドの最大可動範囲と干渉せず、かつ、当該最大可動範囲に最も近い位置である、
請求項１または請求項２のいずれかに記載のドラム。
【請求項４】
前記ドラムヘッドおよび前記シェルの内側の任意の位置に設置され、前記アタック音が減衰した後に継続する前記ドラムヘッドの振動によって生じるボディ音を検出する第２のドラム音センサをさらに備える、
請求項１〜請求項３のいずれかに記載のドラム。
【請求項５】
前記シェルの前記ドラムヘッドが取り付けられた開口端と反対側の開口端に取り付けられるスネアサイドヘッドおよびスネアワイアと、
前記ドラムヘッドと前記スネアサイドヘッドと前記シェルの内側であって前記スネアサイドヘッドの中心の近傍以外の位置に設置され、前記スネアワイアによって生じるスネアワイア音を検出する第３のドラム音センサと、をさらに備える、
請求項１〜請求項４のいずれかに記載のドラム。
【発明の詳細な説明】
【技術分野】
【０００１】
本発明は、ドラムに関する。
【背景技術】
【０００２】
従来、ドラムによる演奏が行われている際の音を増幅、調整等するために、ドラムから出力された音をセンシングする技術が開発されている。例えば、特許文献１には、複数のマイクをドラムの内部に設置する技術が開示されている。
【先行技術文献】
【特許文献】
【０００３】
【特許文献１】米国特許第７２９７８６３号公報
【発明の概要】
【発明が解決しようとする課題】
【０００４】
従来の技術においては、ドラムによって生成される特定の種類の音を正確に集音することができなかった。すなわち、ドラムにおいては、ドラムヘッドへの打撃の直後に生じるアタック音、アタック音が減衰した後に継続するドラムヘッドの振動によって生じるボディ音、スネアワイアによって生じるスネアワイア音など、各種の音が生成される。そして、ドラムの内部においては、各種の音を効果的に集音可能な位置が音の種類によって異なる。従って、特許文献１に開示された技術のように、ドラムの内部においてシェルが形成する円筒の中心軸から離れた位置にマイクが設置される場合、特定の種類の音については正確に集音することが困難である。
本発明は、前記課題にかんがみてなされたもので、集音対象の音の種類に最適化した位置で集音する技術を提供することを目的とする。
【課題を解決するための手段】
【０００５】
上述の目的を達成するため、筒状のシェルと、シェルの一方の開口端に取り付けられるドラムヘッドと、ドラムヘッドおよびシェルの内側であってシェルの中心軸の近傍に設置され、ドラムヘッドへの打撃の直後に生じるアタック音を検出する第１のドラム音センサと、を備えるドラムを構成する。
【０００６】
すなわち、アタック音はドラムヘッドの継続的な振動による所定の音高のボディ音ではないため、ドラムヘッドへの打撃の直後にアタック音が生じた後、速やかに減衰する。また、筒状のシェルに取り付けられるドラムヘッドは円形の打撃面を有するため、打撃点はその中央である場合が多い。従って、アタック音は、ドラムヘッドの中央近傍の打撃点から発生した後、打撃点からの距離が遠ざかるに従って速やかに減衰する。
【０００７】
このため、シェルの中心軸の近傍に設置された第１のドラム音センサによってアタック音を検出する構成とすることで、アタック音が減衰する前にアタック音を集音することができる。すなわち、集音対象であるアタック音に最適化した位置で集音することが可能になる。また、第１のドラム音センサによって集音された音をドラムの外部に演奏音出力として取り出し、再生することにより、アタック音を高音質で再現することができる。
【０００８】
ここで、シェルは筒状の部材であり、少なくとも一方の開口端にドラムヘッドを所定の張力で保持することができればよい。ドラムヘッドをシェルに対して取り付けるための構成としては種々の構成を採用可能であり、例えば、シェルの外周に取り付けられるラグおよび当該ラグに取り付けられるフープによってドラムヘッドの保持部材を構成し、ラグにフープを取り付け、フープにドラムヘッドを取り付ける構成等を採用可能である。なお、筒の形状は円筒であっても良いし、他の形状（例えば、開口部が多角形の筒）であってもよい。
【０００９】
ドラムヘッドはシェルの一方の開口端に取り付けられる打撃対象となる振動膜である。従って、当該ドラムヘッドがスティック等で打撃されることにより、ドラムの演奏音が生成されれば良い。むろん、ドラムヘッドが取り付けられるシェルの開口端と逆側の開口端に対して他のヘッド（レゾナンスヘッド、スネアサイドヘッド）を取り付ける構成であっても良いし、他のヘッドを取り付けない構成であっても良い。
【００１０】
第１のドラム音センサは、ドラムヘッドおよびシェルの内側であってシェルの中心軸（シェルが形成する筒の中心軸）の近傍に設置されるとともに、アタック音を検出するセンサであれば良い。従って、第１のドラム音センサは、マイクであっても良いしダイナミックスピーカであってもよい。なお、同一周波数帯域の音を集音するマイクとダイナミックスピーカとを比較した場合に、一般的にはダイナミックスピーカの方が小型であるため、ダイナミックスピーカを使用すれば、マイクを使用するよりもドラム内の音場形成を阻害する程度が抑制される。
【００１１】
第１のドラム音センサはドラムの内部においてシェルの中心軸の近傍に設置されれば良く、第１のドラム音センサをシェルの中心軸の近傍に設置するための構成としては、種々の構成を採用可能である。例えば、シェルの内壁やラグに対して中心軸付近まで延びる保持部材を取り付けるとともに、当該保持部材に対して第１のドラム音センサを取り付けることで、第１のドラム音センサをシェルの中心軸の近傍に配置する構成等を採用可能である。また、保持部材の形状や材質は任意であり、弾性のある材料で保持部材の少なくとも一部を構成することにより、保持部材を介してドラム音センサに対して振動が伝達されないように構成しても良い。
【００１２】
なお、アタック音は、ドラムヘッドの中央近傍の打撃点から発生した後、打撃点からの距離が遠ざかるに従って速やかに減衰するため、第１のドラム音センサを取り付ける範囲であるシェルの中心軸の近傍の範囲としては、中心軸に近いほど好ましいが、ドラムの外部での音と比較して、第１のドラム音センサによって集音された音において減衰が認識されない範囲に設定されていれば良い。具体的には、アタック音の音圧は、ドラムヘッドへの打撃の直後に立ち上がり、ボディ音と比較して早期に減衰する特性があるため、立ち上がりの期間において音圧が減衰しているとアタック音の音質が顕著に悪化する。そこで、ドラムヘッドの中央を打撃点とした場合におけるアタック音の立ち上がりがドラムの外部で認識されるアタック音と比較して過度に遅れない範囲をシェルの中心軸の近傍の範囲とする構成とすれば良い。
【００１３】
さらに、第１のドラム音センサが、ドラムヘッドの近傍に設置されるように構成しても良い。すなわち、アタック音はドラムヘッドへの打撃の直後に発生した後、速やかに減衰する。そこで、第１のドラム音センサをドラムヘッドの近傍に設置することで、アタック音が減衰する前にアタック音を集音することができる。従って、集音対象であるアタック音に最適化した位置で集音することが可能になる。ここでも、ドラムヘッドの近傍の範囲としては、ドラムヘッドに近いほど好ましいが、第１のドラム音センサによって集音された音において減衰が認識されない範囲に設定されていれば良い。
【００１４】
さらに、ドラムヘッドに対して打撃が加えられる範囲を中心軸方向に投影した範囲を中心軸の近傍と見なして第１のドラム音センサの設置可能範囲とし、ドラムヘッドに対して打撃が加えられた場合における当該ドラムヘッドの最大可動範囲と干渉せず、かつ、当該最大可動範囲に最も近い位置をドラムヘッドの近傍と見なして第１のドラム音センサの設置可能範囲とする構成を採用しても良い。
【００１５】
すなわち、ドラムヘッドに対して打撃が加えられる範囲は、統計的に特定可能である。例えば、所定の打撃回数で打撃が行われた場合に特定の打撃回数以上で打撃点が当該範囲に含まれるように範囲を規定することが可能である。この場合、所定の打撃回数のうち、特定の打撃回数以上で打撃される範囲がドラムヘッドの打撃面で特定されるため、その直下、すなわち、当該範囲を中心軸方向に投影した範囲に第１のドラム音センサを設置すれば、一定の信頼性で打撃が行われる範囲の直下に第１のドラム音センサを設置することができる。
【００１６】
また、ドラムヘッドに対して打撃が加えられた場合における当該ドラムヘッドの最大可動範囲と干渉せず、かつ、当該最大可動範囲に最も近い位置に第１のドラム音センサを設置すれば、打撃によるドラムヘッドの動作と干渉しない範囲において、できるだけドラムヘッドに近くなるように第１のドラム音センサを設置することができる。従って、アタック音の立ち上がりの遅れが極めて小さい状態でアタック音を集音することができる。
【００１７】
さらに、アタック音が減衰した後に継続するドラムヘッドの振動によって生じるボディ音を検出する第２のドラム音センサは、ドラムヘッドおよびシェルの内側の任意の位置に設置可能である。すなわち、ボディ音はドラムヘッドの振動によって継続的に発生する音であり、アタック音と比較して長期にわたって発生する音であるため、ドラム内部の位置によって音の減衰の程度が大きく異なることはない。従って、任意の位置に設置した第２のドラム音センサによって高音質でボディ音を集音することが可能であり、集音対象であるボディ音に最適化した位置で集音することが可能になる。
【００１８】
さらに、シェルのドラムヘッドが取り付けられた開口端と反対側の開口端にスネアサイドヘッドおよびスネアワイアを取り付ける構成において、ドラムヘッドとスネアサイドヘッドとシェルの内側であってスネアサイドヘッドの中心の近傍以外の位置に設置され、スネアワイアによって生じるスネアワイア音を検出する第３のドラム音センサをさらに備える構成としても良い。すなわち、ドラムの内部にスネアワイア音を検出するための第３のドラム音センサを設置する場合に、スネアサイドヘッドの中心の近傍には配置しないように構成する。
【００１９】
スネアワイア音は、スネアサイドヘッドの中心の近傍以外の位置におけるエネルギー分布が高い波形を形成するため、スネアサイドヘッドの中心の近傍以外の位置に第３のドラム音センサを設置することにより、スネアドラムの外部で認識されるスネアワイア音の減衰特性に近い音で集音することが可能である。従って、集音対象であるスネアワイア音に最適化した位置で集音することが可能になる。なお、スネアサイドヘッドの中心の近傍は、スネアワイア音のエネルギー分布が他の位置と比較して相対的に低い範囲として予め規定された範囲であり、ドラムの外部での音と比較して、第３のドラム音センサによって集音された音において減衰が認識されない範囲に設定されていれば良い。
【図面の簡単な説明】
【００２０】
【図１】（１Ａ）は本発明の一実施形態にかかるドラムの上面図、（１Ｂ）は本発明の一実施形態にかかるドラムの断面図、（１Ｃ）はタムタムから発生する音の音圧の時間特性を示す図である。
【図２】（２Ａ）は第２のドラム音センサで集音される音の時間特性の位置依存性を示すグラフ、（２Ｂ）は第２のドラム音センサで集音される音の周波数特性の位置依存性を示すグラフである。
【図３】（３Ａ）は本発明の一実施形態にかかるスネアドラムの上面図、（３Ｂ）は本発明の一実施形態にかかるスネアドラムの断面図
【発明を実施するための形態】
【００２１】
ここでは、下記の順序に従って本発明の実施の形態について説明する。
（１）ドラムの構成：
（１−１）第１のドラム音センサの設置範囲：
（１−２）第２のドラム音センサの設置範囲：
（２）他の実施形態：
【００２２】
（１）ドラムの構成：
図１Ａは本発明の一実施形態にかかるドラムの上面図であり、ドラム１に取り付けられたドラムヘッド２０ａ側から当該ドラム１を眺めた状態を示している。また、図１Ｂは本発明の一実施形態にかかるドラム１を示す断面図であり、シェル１０およびドラムヘッド２０ａで切断した状態を示している。シェル１０は内径がほぼ一定の筒状の部材である。シェル１０の外壁には複数の位置にラグ１０ｃが取り付けられる。本実施形態において、ラグ１０ｃは、円周方向に沿って複数の位置（本例では６カ所）に取り付けられる。ラグ１０ｃにはシェル１０の高さ方向に平行に延びるチューニングピン１０ｂが取り付けられる。
【００２３】
チューニングピン１０ｂには、フープ１０ａが取り付けられる。フープ１０ａは筒形の部材であり、当該フープ１０ａの内径はシェル１０の外径より大きく、フープ１０ａの外径はシェル１０の直径の延長線上に配置された２個のチューニングピン１０ｂの距離より小さい。従って、フープ１０ａを、シェル１０の外周とチューニングピン１０ｂとの間に配置することができる。さらに、チューニングピン１０ｂに対してフープ１０ａを取り付けた状態でチューニングピン１０ｂを調整することにより、フープ１０ａの高さ方向の位置を調整することができる。
【００２４】
ドラムヘッド２０ａは、薄い円形の部材であり、縁をフープ１０ａに取り付けることができる。従って、ドラムヘッド２０ａをフープ１０ａに取り付けた状態でチューニングピン１０ｂによってフープ１０ａの高さ方向の位置を調整することにより、ドラムヘッド２０ａに作用している張力を調整しつつドラムヘッド２０ａをシェル１０の開口端に取り付けることができる。なお、本実施形態においては、図１Ｂにおいて上方に示すドラムヘッド２０ａがスティック等によって打撃される面（バターヘッド）である。むろん、図１Ｂにおいて下方に示す開口端にスティック等によって打撃されないレゾナンスヘッドを取り付けるように構成しても良い。ドラムヘッド２０ａおよびシェル１０の内側には、第１のドラム音センサ３０ａと第２のドラム音センサ３０ｂとが設置される。
【００２５】
（１−１）第１のドラム音センサの設置範囲：
本実施形態においては、シェル１０の内壁に２本の棒状の保持部材３１ａが取り付けられる。各保持部材３１ａの両端は略直角に屈曲しており、各端部がシェル１０の内壁に取り付けられ、保持部材３１ａの端部を除く中央部分はシェル１０の直径と平行に配向される。また、２本の保持部材３１ａがシェル１０に対して取り付けられる高さ（シェル１０が形成する筒の中心軸方向の位置）は同一である。従って、保持部材３１ａの上部に第１のドラム音センサ３０ａを載せることができ、保持部材３１ａの上部に第１のドラム音センサ３０ａを載せた状態で、保持部材３１ａに対して第１のドラム音センサ３０ａが取り付けられる。
【００２６】
本実施形態において、第１のドラム音センサ３０ａは、シェル１０が形成する筒の中心軸Ｏの近傍であるとともに、ドラムヘッド２０ａの近傍の位置に設置される。具体的には、第１のドラム音センサ３０ａの中央（ダイヤフラムの中央）がシェル１０の中心軸Ｏと一致するように第１のドラム音センサ３０ａが設置される。さらに、演奏のためにドラムヘッド２０ａに対して打撃が加えられた場合におけるドラムヘッド２０ａの最大可動範囲と干渉せず、かつ、当該最大可動範囲に最も近い位置に第１のドラム音センサ３０ａが設置される。
【００２７】
図１Ｃはドラムの外部におけるドラムの音圧の時間推移の例を示すグラフであり、縦軸は音圧、横軸は時間（秒）である。同図１Ｃに示すように、ドラムヘッド２０ａが打撃されると、ドラムヘッド２０ａの継続的な振動によって当該ドラムヘッド２０ａの張力に応じた特定の音高（周波数）のボディ音が継続して出力される。また、ドラムヘッド２０ａへの打撃の直後にはボディ音より周波数が高いアタック音が生じ、速やかに減衰する。図１Ｃにおいては、立ち上がり〜０．００５秒程度の期間においてアタック音とドラム音とが重畳された音が出力されており、０．００５秒より後においてはアタック音がほとんど観測されず、ほぼボディ音のみとなることがわかる。このように、ドラムヘッド２０ａへの打撃の直後にアタック音が生じた後、アタック音は速やかに減衰する。
【００２８】
さらに、ドラムヘッド２０ａは円形の打撃面を有するため、打撃点はその中央である場合が多い。従って、アタック音は、ドラムヘッド２０ａの中央近傍の打撃点から発生した後、打撃点からの距離が遠ざかるに従って速やかに減衰する。このため、シェル１０の中心軸およびドラムヘッド２０ａの近傍に第１のドラム音センサ３０ａが設置されることにより、アタック音が減衰する前に第１のドラム音センサ３０ａにてアタック音を集音することができる。
【００２９】
なお、第１のドラム音センサ３０ａは、ドラムの外部での音と比較して、第１のドラム音センサ３０ａによって集音された音において減衰が認識されない範囲に設置されていれば良い。上述のように、アタック音の音圧は、ドラムヘッド２０ａへの打撃の直後に立ち上がり、ボディ音と比較して早期に減衰する特性があるため、立ち上がりの期間において音圧が減衰しているとアタック音の音質が顕著に悪化する。そこで、ドラムヘッド２０ａの中央を打撃点とした場合におけるアタック音の立ち上がりがドラムの外部で認識されるアタック音と比較して過度に遅れない範囲をシェルの中心軸の近傍の範囲とする構成を採用可能である。
【００３０】
また、ドラムヘッド２０ａに対して打撃が加えられる範囲を中心軸方向に投影した範囲（図１Ａに示す範囲Ｒｃ）を中心軸の近傍と見なして第１のドラム音センサ３０ａの設置可能範囲（第１のドラム音センサ３０ａのダイヤフラムの中心点の設置可能範囲）としてもよい。すなわち、ドラムヘッド２０ａに対して打撃が加えられる範囲は、統計的に特定可能である。例えば、所定の打撃回数で打撃が行われた場合に特定の打撃回数以上で打撃点が当該範囲に含まれるように範囲を規定することが可能である。この場合、所定の打撃回数のうち、特定の打撃回数以上で打撃される範囲がドラムヘッド２０ａの打撃面で特定されるため、その直下、すなわち、当該範囲を中心軸方向に投影した範囲に第１のドラム音センサ３０ａを設置すれば、一定の信頼性で打撃が行われる範囲の直下に第１のドラム音センサを設置することができる。
【００３１】
なお、第１のドラム音センサ３０ａには、配線３２ａが接続されており、配線３２ａはシェル１０の内壁および外壁を貫通するコネクタ３３ａに接続されている。当該コネクタ３３ａに対してはアンプ４０を接続することが可能であり、アンプ４０においては配線３２ａによって取り出された演奏音出力を再生することができる。この結果、第１のドラム音センサ３０ａによって集音されたアタック音を高音質で再現することができる。
【００３２】
（１−２）第２のドラム音センサの設置範囲：
第２のドラム音センサ３０ｂは、ドラムヘッド２０ａおよびシェル１０の内側の任意の位置に設置される。図１Ａ、図１Ｂに示す例において第２のドラム音センサ３０ｂは保持部材３１ｂによってシェル１０の内壁に取り付けられる。すなわち、保持部材３１ｂは板状の部材であるとともに一端が屈曲されており、当該一端がシェル１０の内壁に取り付けられる。また、保持部材３１ｂの他端に第２のドラム音センサ３０ｂが取り付けられる。
【００３３】
第２のドラム音センサ３０ｂは、第１のドラム音センサ３０ａよりも口径が大きく、より低周波数の音に対して感度が高いため、主にボディ音を検出するためのセンサとなる。ボディ音は、図１Ｃに示すように、ドラムヘッド２０ａの振動によって継続的に発生する音であり、アタック音と比較して長期にわたって発生する音であるため、ドラム１の内部の位置によって音の減衰の程度が大きく異なることはない。
【００３４】
図２Ａは、ドラムヘッド２０ａの打撃音の音圧の時間特性を第２のドラム音センサ３０ｂの設置位置を変更した場合について示したグラフであり、縦軸は音圧、横軸は時間（秒）である。図２Ｂは、ドラムヘッド２０ａの打撃音の音圧の周波数特性を第２のドラム音センサ３０ｂの設置位置を変更した場合について示したグラフであり、縦軸は音圧、横軸は周波数（Ｈｚ）である。これらのグラフにおいて、シェル１０の半径方向の２カ所（中央と端）およびシェル１０の高さ方向の２カ所（高さ１／２を挟んで対称の２カ所：上下）での測定結果を示しており、実線は半径方向の端かつ高さ方向の下、長い線分で構成される破線は半径方向の端かつ高さ方向の上、短い線分で構成される破線は半径方向の中央かつ高さ方向の下、一点鎖線は半径方向の中央かつ高さ方向の上における測定結果である。これらのグラフによると、時間特性、周波数特性のいずれにおいても位置による音圧の差異が見られない。従って、第２のドラム音センサ３０ｂで検出されるボディ音は、第２のドラム音センサ３０ｂの設置位置によって減衰の程度が大きく異なることはない。このため、任意の位置に設置した第２のドラム音センサ３０ｂによって高音質でボディ音を集音することが可能であり、集音対象であるボディ音に最適化した位置で集音することが可能になる。
【００３５】
なお、第２のドラム音センサ３０ｂには、配線３２ｂが接続されており、配線３２ｂはシェル１０の内壁および外壁を貫通するコネクタ３３ｂに接続されている。当該コネクタ３３ｂに対してはアンプ４０を接続することが可能であり、アンプ４０においては配線３２ｂによって取り出された演奏音出力を再生することができる。この結果、第２のドラム音センサ３０ｂによって集音されたボディ音を高音質で再現することができる。
【００３６】
（２）他の実施形態：
以上の実施形態は本発明を実施するための一例であり、集音対称に最適化した位置にドラム音センサを設置する限りにおいて、他にも種々の実施形態を採用可能である。例えば、ドラムの内部に設置するドラム音センサの数は２個に限定されない。特に、スネアドラムにおいてスネアワイアに起因して発生するスネアワイア音は、一般に、アタック音よりも高い周波数の音である。そこで、スネアドラムに対しては、スネアワイア音を集音するための第３のドラム音センサを設置することが好ましい。
【００３７】
図３Ａはスネアドラムの上面図、図３Ｂはスネアドラムの断面図であり、図３Ａ，図３Ｂに示すスネアドラム１００において、図１Ａ、図１Ｂに示すドラム１と同様の機能を有する部品は同様の符号を付して示している。図３Ａ、図３Ｂに示すスネアドラム１００において、スネアサイド側にはフープ１１ａによってスネアサイドヘッド２０ｂが取り付けられる。また、スネアサイド側には、シェル１０の外面に取り付けられる各種の保持具によってスネアワイア１５が取り付けられる。なお、図３Ａではスネアワイアの保持具等を省略しており、図３Ｂではラグ１０ｃ等を省略して示している。
【００３８】
スネアドラム１００において、第１のドラム音センサ３０ａと第２のドラム音センサ３０ｂの構成および設置位置は図１Ａ、図１Ｂに示すドラム１と同様である。第３のドラム音センサ３０ｃの振動膜の口径は、第１のドラム音センサ３０ａの振動膜の口径以下である。従って、第１のドラム音センサ３０ａで集音される音の周波数成分以上の成分の音が集音される。そして、第３のドラム音センサ３０ｃは、屈曲された板状の保持部材３１ｃにより、スネアサイドヘッド２０ｂの中心の近傍以外の位置に設置される。すなわち、図３Ｂに示す範囲Ｒｓ以外の位置に第３のドラム音センサ３０ｃが設置される。
【００３９】
ドラムヘッドのような円形の振動膜の振動モードであって半径方向のみに節を持つ振動モードは、高次のモードであるほどドラムヘッドの中央の振幅が小さくなり、端に近い部位が振動する振動モードになる。従って、高い周波数の音であるスネアワイア音は、スネアサイドヘッド２０ｂの中心の近傍以外の位置（図３Ｂに示す半球状の範囲Ｒｓの外側の位置）におけるエネルギー分布が高い波形を形成する。そこで、スネアサイドヘッド２０ｂの中心の近傍以外の位置に第３のドラム音センサ３０ｃを設置することにより、スネアドラムの外部で認識されるスネアワイア音の減衰特性に近い音で集音することが可能である。この結果、集音対象であるスネアワイア音に最適化した位置で集音することが可能になる。なお、スネアサイドヘッド２０ｂの中心の近傍は、スネアワイア音のエネルギー分布が他の位置と比較して相対的に低い範囲として予め規定された範囲であり、ドラムの外部での音と比較して、第３のドラム音センサ３０ｃによって集音された音において減衰が認識されない範囲（外部での音と同等のサステインが視聴される範囲）に設定されていれば良い。
【００４０】
なお、第３のドラム音センサ３０ｃには、配線３２ｃが接続されており、配線３２ｃはシェル１０の内壁および外壁を貫通するコネクタ３３ａに接続されている。当該コネクタ３３ａに対してはアンプ４０を接続することが可能であり、アンプ４０においては配線３２ｃによって取り出された演奏音出力を再生することができる。この結果、第３のドラム音センサ３０ｃによって集音されたスネアワイア音を高音質で再現することができる。
【００４１】
なお、スネアドラムによって発音されるアタック音とスネアワイア音はボディ音と比較して高い周波数の音であり、アタック音とスネアワイア音を比較すると、一般に、アタック音よりもスネアワイア音の方が高い周波数の音であるものの、比較的近い周波数の音である。従って、スネアドラムであれば、アタック音を検出するための第１のドラム音センサ３０ａとスネアワイア音を検出するための第３のドラム音センサ３０ｃのいずれか一方とボディ音を検出するための第２のドラム音センサ３０ｂとを備える構成としても良い。この構成であれば、より少ない数のセンサでスネアドラムの音を検出することが可能であり、スネアドラム内の音場形成をできるだけ阻害することなく音を検出することが可能である。
【符号の説明】
【００４２】
１…ドラム、１０…シェル、１０ａ…フープ、１０ｂ…チューニングピン、１０ｃ…ラグ、１１ａ…フープ、１５…スネアワイア、２０ａ…ドラムヘッド、２０ｂ…スネアサイドヘッド、３０ａ…第１のドラム音センサ、３０ｂ…第２のドラム音センサ、３０ｃ…第３のドラム音センサ、３１ａ，３１ｂ，３１ｃ…保持部材、３２ａ，３２ｂ，３２ｃ…配線、３３ａ，３３ｂ…コネクタ、４０…アンプ
【図１】
2015075728.tif 000003
【図２】
2015075728.tif 000004
【図３】
2015075728.tif 000005